(57)【要約】アナログ回線とデジタル回線との間で、音声通話及びファックス通信を中継する中継装置であって、アナログ回線を介して通信端末から、ファックス通信の開始を示すファックス通信開始信号を受信する開始信号受信部と、開始信号受信部がファックス通信開始信号を受信した場合に、デジタル回線を管理する管理装置に対して、デジタル回線において当該中継装置が利用可能な帯域幅を、音声通話のときより広くすることを要求する要求信号送信部とを備える。
2003081888.tif 000002
【特許請求の範囲】
【請求項１】
アナログ回線とデジタル回線との間で、音声通話及びファックス通信を中継する中継装置であって、
前記アナログ回線を介して通信端末から、ファックス通信の開始を示すファックス通信開始信号を受信する開始信号受信部と、
前記開始信号受信部が前記ファックス通信開始信号を受信した場合に、前記デジタル回線を管理する管理装置に対して、前記デジタル回線において当該中継装置が利用可能な帯域幅を、音声通話のときより広くすることを要求する要求信号送信部とを備えることを特徴とする中継装置。
【請求項２】
当該中継装置が前記通信端末の音声通話を中継しているときに、前記開始信号受信部が前記ファックス通信開始信号を受信した場合、
前記要求信号送信部は、前記帯域幅を広くすることを要求することを特徴とする請求項１に記載の中継装置。
【請求項３】
前記開始信号受信部は、前記通信端末から、前記ファックス通信開始信号としてＣＮＧ（Ｃａｌｌｉｎｇ  ｔｏｎｅ）信号を受信することを特徴とする請求項１に記載の中継装置。
【請求項４】
前記要求信号送信部は、前記帯域幅を、８ｋビット／秒、６．３ｋビット／秒、又は５．３ｋビット／秒から６４ｋビット／秒に変更することを要求することを特徴とする請求項２に記載の中継装置。
【請求項５】
前記通信端末から受信した音声信号をデジタル信号に変換する信号変換部と、
前記開始信号受信部が前記ファックス通信開始信号を受信したか否かに基づいて、前記信号変換部の変換方式を決定する変換方式決定部とをさらに備えることを特徴とする請求項１に記載の中継装置。
【請求項６】
当該中継装置が前記通信端末の音声通話を中継しているときに、前記開始信号受信部が前記ファックス通信開始信号を受信した場合、
前記変換方式決定部は、前記信号変換部の変換方式を、音声通話のときより圧縮率の低い変換方式に変更することを特徴とする請求項５に記載の中継装置。
【請求項７】
前記変換方式決定部は、前記信号変換部の変換方式を、Ｇ．７２９又はＧ．７２３からＧ．７１１に変更することを特徴とする請求項６に記載の中継装置。
【請求項８】
アナログ回線とデジタル回線との間で、音声通話及びファックス通信を中継する中継装置であって、
音声通話及びファックス通信を行う通信端末から、ファックス通信の開始を示すファックス通信開始信号を受信する開始信号受信部と、
前記通信端末から受信した音声信号をデジタル信号に変換する信号変換部と、
前記開始信号受信部が前記ファックス通信開始信号を受信したか否かに基づいて、前記信号変換部の変換方式を決定する変換方式決定部とを備えることを特徴とする中継装置。
【請求項９】
当該中継装置が前記通信端末の音声通話を中継しているときに、前記開始信号受信部が前記ファックス通信開始信号を受信した場合、
前記変換方式決定部は、前記信号変換部の変換方式を、圧縮率の低い変換方式に変更することを特徴とする請求項８に記載の中継装置。
【請求項１０】
アナログ回線とデジタル回線との間で、音声通話及びファックス通信を中継する中継装置の通信制御方法であって、
前記アナログ回線を介して通信端末から、ファックス通信の開始を示すファックス通信開始信号を受信する開始信号受信段階と、
前記ファックス通信開始信号を受信した場合に、前記デジタル回線を管理する管理装置に対して、前記デジタル回線において当該中継装置が利用可能な帯域幅を、音声通話のときより広くすることを要求する要求信号送信段階とを備えることを特徴とする通信制御方法。
【請求項１１】
アナログ回線とデジタル回線との間で、音声通話及びファックス通信を中継する中継装置の通信制御方法であって、
音声通話及びファックス通信を行う通信端末から、ファックス通信の開始を示すファックス通信開始信号を受信する開始信号受信段階と、
前記通信端末から受信した音声信号をデジタル信号に変換する信号変換段階と、
前記ファックス通信開始信号を受信したか否かに基づいて、前記信号変換段階における変換方式を決定する変換方式決定段階とを備えることを特徴とする通信制御方法。
【請求項１２】
アナログ回線とデジタル回線との間で、音声通話及びファックス通信を中継する中継装置用の通信制御プログラムであって、前記中継装置を、
前記アナログ回線を介して通信端末から、ファックス通信の開始を示すファックス通信開始信号を受信する開始信号受信手段、
前記開始信号受信手段が前記ファックス通信開始信号を受信した場合に、前記デジタル回線を管理する管理装置に対して、前記デジタル回線において当該中継装置が利用可能な帯域幅を、音声通話のときより広くすることを要求する要求信号送信手段として機能させるための通信制御プログラム。
【請求項１３】
アナログ回線とデジタル回線との間で、音声通話及びファックス通信を中継する中継装置用の通信制御プログラムであって、前記中継装置を、
音声通話及びファックス通信を行う通信端末から、ファックス通信の開始を示すファックス通信開始信号を受信する開始信号受信手段、
前記通信端末から受信した音声信号をデジタル信号に変換する信号変換手段、
前記開始信号受信手段が前記ファックス通信開始信号を受信したか否かに基づいて、前記信号変換手段の変換方式を決定する変換方式決定手段として機能させるための通信制御プログラム。
【請求項１４】
デジタル回線を介して、音声通話及びファックス通信を行わせる通信システムであって、
アナログ回線と前記デジタル回線との間で、音声通話及びファックス通信を中継する中継装置と、
前記デジタル回線において前記中継装置が利用可能な帯域幅を決定する管理装置とを備え、
前記中継装置は、
音声通話及びファックス通信を行う通信端末から、前記アナログ回線を介してファックス通信の開始を示すファックス通信開始信号を受信する開始信号受信部と、
前記開始信号受信部が前記ファックス通信開始信号を受信した場合に、前記デジタル回線を管理する管理装置に対して、前記デジタル回線において当該中継装置が利用可能な帯域幅を、音声通話のときより広くすることを要求する要求信号送信部とを有することを特徴とする通信システム。
【発明の詳細な説明】
技術分野
本発明は、中継装置、通信制御方法、通信制御プログラム、及び通信システムに関する。また本出願は、下記の国際特許出願に関連する。文献の参照による組み込みが認められる指定国については、下記の出願に記載された内容を参照により本出願に組み込み、本出願の記載の一部とする。
出願番号  ＰＣＴ／ＪＰ０２／０２８３３  出願日  平成１４年３月２５日
背景技術
従来、ＩＰネットワークを介してファックス通信を行う方法として、（１）ファックス信号をＶｏＩＰ（Ｖｏｉｃｅ  ｏｖｅｒ  ＩＰ）で転送する方法、（２）ファックス信号をＴ．３７準拠のＦｏＩＰ（Ｆａｘ  ｏｖｅｒ  ＩＰ）で転送する方法、（３）ファックス信号をＴ．３８準拠の変換方式で変換して転送する方法がある。
しかしながら、（１）の方法では、送信側のゲートウェイが圧縮率の高いコーデックを使用してファックス信号を変換するので、受信側のゲートウェイがファックス信号を忠実に再現することが困難である。また、（２）の方法では、送信側のゲートウェイがファックスデータを一時的に蓄積した後、電子メールとしてファックスデータを送信するので、リアルタイム性に欠けるという問題がある。また、（２）又は（３）の方法では、送信側及び受信側において、Ｔ．３７又はＴ．３８対応のゲートウェイが必要になる。
そこで本発明は、上記の課題を解決することのできる中継装置、通信制御方法、通信制御プログラム、及び通信システムを提供することを目的とする。この目的は請求の範囲における独立項に記載の特徴の組み合わせにより達成される。また従属項は本発明の更なる有利な具体例を規定する。
発明の開示
このような目的を達成するために、本発明の第１の形態によれば、アナログ回線とデジタル回線との間で、音声通話及びファックス通信を中継する中継装置であって、アナログ回線を介して通信端末から、ファックス通信の開始を示すファックス通信開始信号を受信する開始信号受信部と、開始信号受信部がファックス通信開始信号を受信した場合に、デジタル回線を管理する管理装置に対して、デジタル回線において当該中継装置が利用可能な帯域幅を、音声通話のときより広くすることを要求する要求信号送信部とを備える。
当該中継装置が通信端末の音声通話を中継しているときに、開始信号受信部がファックス通信開始信号を受信した場合、要求信号送信部は、帯域幅を広くすることを要求してもよい。
開始信号受信部は、通信端末から、ファックス通信開始信号としてＣＮＧ（Ｃａｌｌｉｎｇ  ｔｏｎｅ）信号を受信してもよい。
要求信号送信部は、帯域幅を、８ｋビット／秒、６．３ｋビット／秒、又は５．３ｋビット／秒から６４ｋビット／秒に変更することを要求してもよい。
通信端末から受信した音声信号をデジタル信号に変換する信号変換部と、開始信号受信部がファックス通信開始信号を受信したか否かに基づいて、信号変換部の変換方式を決定する変換方式決定部とをさらに備えてもよい。
当該中継装置が通信端末の音声通話を中継しているときに、開始信号受信部がファックス通信開始信号を受信した場合、変換方式決定部は、信号変換部の変換方式を、音声通話のときより圧縮率の低い変換方式に変更してもよい。
変換方式決定部は、信号変換部の変換方式を、Ｇ．７２９又はＧ．７２３からＧ．７１１に変更してもよい。
本発明の第２の形態によれば、アナログ回線とデジタル回線との間で、音声通話及びファックス通信を中継する中継装置であって、音声通話及びファックス通信を行う通信端末から、ファックス通信の開始を示すファックス通信開始信号を受信する開始信号受信部と、通信端末から受信した音声信号をデジタル信号に変換する信号変換部と、開始信号受信部がファックス通信開始信号を受信したか否かに基づいて、信号変換部の変換方式を決定する変換方式決定部とを備える。
当該中継装置が通信端末の音声通話を中継しているときに、開始信号受信部がファックス通信開始信号を受信した場合、変換方式決定部は、信号変換部の変換方式を、圧縮率の低い変換方式に変更してもよい。
本発明の第３の形態によれば、アナログ回線とデジタル回線との間で、音声通話及びファックス通信を中継する中継装置の通信制御方法であって、アナログ回線を介して通信端末から、ファックス通信の開始を示すファックス通信開始信号を受信する開始信号受信段階と、ファックス通信開始信号を受信した場合に、デジタル回線を管理する管理装置に対して、デジタル回線において当該中継装置が利用可能な帯域幅を、音声通話のときより広くすることを要求する要求信号送信段階とを備える。
本発明の第４の形態によれば、アナログ回線とデジタル回線との間で、音声通話及びファックス通信を中継する中継装置の通信制御方法であって、音声通話及びファックス通信を行う通信端末から、ファックス通信の開始を示すファックス通信開始信号を受信する開始信号受信段階と、通信端末から受信した音声信号をデジタル信号に変換する信号変換段階と、ファックス通信開始信号を受信したか否かに基づいて、信号変換段階における変換方式を決定する変換方式決定段階とを備える。
本発明の第５の形態によれば、アナログ回線とデジタル回線との間で、音声通話及びファックス通信を中継する中継装置用の通信制御プログラムであって、中継装置を、アナログ回線を介して通信端末から、ファックス通信の開始を示すファックス通信開始信号を受信する開始信号受信手段、開始信号受信手段がファックス通信開始信号を受信した場合に、デジタル回線を管理する管理装置に対して、デジタル回線において当該中継装置が利用可能な帯域幅を、音声通話のときより広くすることを要求する要求信号送信手段として機能させる。
本発明の第６の形態によれば、アナログ回線とデジタル回線との間で、音声通話及びファックス通信を中継する中継装置用の通信制御プログラムであって、中継装置を、音声通話及びファックス通信を行う通信端末から、ファックス通信の開始を示すファックス通信開始信号を受信する開始信号受信手段、通信端末から受信した音声信号をデジタル信号に変換する信号変換手段、開始信号受信手段がファックス通信開始信号を受信したか否かに基づいて、信号変換手段の変換方式を決定する変換方式決定手段として機能させる。
本発明の第７の形態によれば、デジタル回線を介して、音声通話及びファックス通信を行わせる通信システムであって、アナログ回線とデジタル回線との間で、音声通話及びファックス通信を中継する中継装置と、デジタル回線において中継装置が利用可能な帯域幅を決定する管理装置とを備え、中継装置は、音声通話及びファックス通信を行う通信端末から、アナログ回線を介してファックス通信の開始を示すファックス通信開始信号を受信する開始信号受信部と、開始信号受信部がファックス通信開始信号を受信した場合に、デジタル回線を管理する管理装置に対して、デジタル回線において当該中継装置が利用可能な帯域幅を、音声通話のときより広くすることを要求する要求信号送信部とを有する。
なお上記の発明の概要は、本発明の必要な特徴の全てを列挙したものではなく、これらの特徴群のサブコンビネーションも又発明となりうる。
発明を実施するための最良の形態
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
図１は、本発明の一実施形態に係る通信システム１０の構成の一例を示す。通信システム１０は、ＩＰネットワーク等のデジタル回線網３００を介して接続されるゲートウェイ１００ａ及び１００ｂと、アナログ回線を介してゲートウェイ１００ａと接続されるＴＥＬ／ＦＡＸ端末２００ａと、アナログ回線を介してゲートウェイ１００ｂと接続されるＴＥＬ／ＦＡＸ端末２００ｂと、デジタル回線網３００においてゲートウェイ１００ａとゲートウェイ１００ｂとの通信を管理するゲートキーパ４００とを備える。ゲートウェイ１００ａ及び１００ｂは、本発明の中継装置の一例である。また、ＴＥＬ／ＦＡＸ端末２００ａ及び２００ｂは、本発明の通信端末の一例である。また、ゲートキーパ４００は、本発明の管理装置の一例である。
通信システム１０は、デジタル回線網３００を介してＴＥＬ／ＦＡＸ端末２００ａ及び２００ｂに音声通話及びファックス通信を行わせる。ゲートウェイ１００ａは、アナログ回線とデジタル回線との間で、ＴＥＬ／ＦＡＸ端末１００ａの音声通話及びファックス通話を中継する。また、ゲートウェイ１００ａは、アナログ回線とデジタル回線との間で、ＴＥＬ／ＦＡＸ端末１００ｂの音声通話及びファックス通話を中継する。また、ゲートキーパ４００は、デジタル回線網３００においてゲートウェイ１００ａ及びゲートウェイ１００ｂが利用可能な帯域幅を決定する。
図２は、ゲートウェイ１００ａの構成の一例を示す。なお、ゲートウェイ１００ｂは、ゲートウェイ１００ａと同様の構成を有しており、以下において、代表してゲートウェイ１００ａを用いて説明する。
ゲートウェイ１００ａは、アナログ送受信部１０２、信号変換部１０４、デジタル送受信部１０６、ＣＮＧ検出部１０８、変換方式決定部１１０、及び要求信号生成部１１２を備える。信号変換部１０４は、Ａ／Ｄ変換部１１４、コーデック１１８、及びコーデックリスト１１６を有する。アナログ送受信部１０２は、本発明の開始信号受信部の一例である。また、デジタル送受信部１０６は、本発明の要求信号送信部の一例である。
アナログ送受信部１０２は、ＴＥＬ／ＦＡＸ端末２００ａとの間で、アナログ回線を介して音声通話又はファックス通信のためのアナログデータを送受信する。デジタル送受信部１０６は、ゲートウェイ１００ｂとの間で、デジタル回線網３００を介して音声通話又はファックス通信のためのデジタルデータを送受信する。
Ａ／Ｄ変換部１１４は、アナログ送受信部１０２が受信した音声信号のアナログデータをデジタルデータに変換する。そして、コーデック１１８は、コーデックリスト１１６に格納された変換方式に基づいて、Ａ／Ｄ変換部１１４から取得したデジタルデータをエンコードし、デジタル送受信部１０６に供給する。
また、コーデック１１８は、コーデックリスト１１６に格納された変換方式に基づいて、デジタル送受信部１０６が受信したデジタルデータをデコードする。そして、Ａ／Ｄ変換部１１４は、コーデック１１８から取得したデジタルデータをアナログデータに変換し、アナログ送受信部１０２に供給する。
ＣＮＧ検出部１０８は、アナログ送受信部１０２がファックス通信の開始を示すファックス開始信号としてＣＮＧ（Ｃａｌｌｉｎｇ  ｔｏｎｅ）信号を受信したか否かを検出する。また、変換方式決定部１１０は、ＣＮＧ検出部１０８がＣＮＧ信号を検出したか否かに基づいて、コーデック１１８の変換方式を決定する。また、要求信号生成部１１２は、ＣＮＧ検出部１０８がＣＮＧ信号を検出した場合に、デジタル回線網３００においてゲートウェイ１００ａが利用可能な帯域幅の変更を要求するための帯域幅要求信号を生成し、デジタル送受信部１０６に供給する。そして、デジタル送受信部１０６は、帯域幅要求信号をデジタル回線網３００を介してデートキーパ４００に送信する。
本実施形態のデートウェイ１００ａによれば、ＣＮＧ信号を受信したか否かに基づいてコーデック１１８の変換方式を決定するので、音声通話及びファックス通信のそれぞれに適切な変換方式を決定できる。また、ＣＮＧ信号を受信した場合に帯域幅の変更を要求するので、音声通話及びファックス通信のそれぞれに適切な帯域幅を確保させることができる。
図３は、通信システム１０の通信フローの一例を示す。ＴＥＬ／ＦＡＸ端末２００ａと２００ｂとは、ゲートウェイ１００ａ及び１００ｂを介して音声通話を行っている。このとき、ゲートウェイ１００ａ及び１００ｂは、例えばＧ．７２９又はＧ．７２３により受信したデータをエンコード又はデコードする。また、ゲートウェイ１００ａと１００ｂとは、例えば８ｋビット／秒、６．３ｋビット／秒、又は５．３ｋビット／秒の帯域幅で音声通話のための通信を行う。
ゲートウェイ１００ａは、ＴＥＬ／ＦＡＸ端末２００ａと２００ｂとの音声通話を中継しているときに、ＴＥＬ／ＦＡＸ端末２００ａからＣＮＧ信号を受信する。そして、ゲートウェイ１００は、デジタル回線網３００においてゲートウェイ１００ａが利用可能な帯域幅を、音声通話のときより広くすることを要求する帯域幅変更要求信号（ＢＲＱ）をゲートキーパ４００に送信する。例えば、ゲートウェイ１００ａは、帯域幅を８ｋビット／秒、６．３ｋビット／秒、又は５．３ｋビット／秒から６４ビット６４ビット／秒に変更することを要求する帯域幅要求信号（ＢＲＱ）を送信する。そして、ゲートウェイ１００ａは、デジタル送受信部１０６は、帯域幅要求信号（ＢＲＱ）に対する帯域幅変更確認信号（ＢＣＦ）をゲートキーパ４００から受信する。
次に、ゲートウェイ１００ａは、論理チャネルクローズ信号をゲートウェイ１００ｂに送信することにより、音声通話に使用していた論理チャネルをクローズするようゲートウェイ１００ｂに要求する。また、ゲートウェイ１００ａは、論理チャネルオープン信号をゲートウェイ１００ｂに送信することにより、ファックス通信に使用する論理チャネルをオープンするようゲートウェイ１００ｂに要求する。
次に、ゲートウェイ１００ｂは、上述したゲートウェイ１００ａの動作と同様に、帯域幅変更要求信号（ＢＲＱ）をゲートキーパ４００に送信した後、帯域幅変更確認信号（ＢＣＦ）をゲートキーパ４００から受信する。そして、ゲートウェイ１００ｂは、論理チャネルオープン信号に対する論理チャネルオープン確認応答信号をゲートウェイ１００ａに送信することにより、ファックス通信に使用する論理チャネルの準備が完了したことを通知する。
また、ゲートウェイ１００ａは、ＴＥＬ／ＦＡＸ端末２００ａと２００ｂとの音声通話を中継しているときに、ＴＥＬ／ＦＡＸ端末２００ａからＣＮＧ信号を受信した場合、コーデック１１８の変換方式を、音声通話のときより圧縮率の低い変換方式に変更する。例えば、変換方式をＧ．７２９又はＧ．７２３からＧ．７１１に変更する。
次に、ゲートウェイ１００ａは、変換方式変更要求信号をゲートウェイ１００ｂに送信することにより、コーデックの変換方式を変更するようゲートウェイ１００ｂに要求する。そして、ゲートウェイ１００ｂは、変換方式変更要求信号に対する変換方式変更確認応答信号をゲートウェイ１００ａに送信することにより、コーデックの変換方式の変更が完了したことを通知する。
以上の通信フローが終了した後、ＴＥＬ／ＦＡＸ端末２００ａと２００ｂとは、ゲートウェイ１００ａ及び１００ｂを介してファックス通信を行う。このとき、ゲートウェイ１００ａ及び１００ｂは、例えばＧ．７１１により受信したデータをエンコード又はデコードする。また、ゲートウェイ１００ａと１００ｂとは、例えば６４ｋビット／秒の帯域幅でファックス通信のための通信を行う。
本実施形態の通信システム１０によれば、音声通話かファックス通信のいずれを行うかに基づいて、コーデック１１８の変換方式及びデジタル回線網３００の帯域幅を変更するので、デジタル回線網３００の帯域を有効に利用することができる。また、音声通話中にファックス通信が開始された場合に、コーデック１１８の圧縮率を低くし、デジタル回線網３００の帯域幅を広げられるため、リアルタイム性を維持しつつ、品質のよいファックス通信を提供することができる。さらに、ゲートウェイ１００ａ及び１００ｂが、Ｔ．３７又はＴ．３８対応でない場合であっても、品質のよいファックス通信を提供することができる。
図４は、ゲートウェイ１００ａのハードウェア構成の一例を示す。ゲートウェイ１００ａの機能は、ＣＰＵ８１０、ＲＯＭ８２０、ＲＡＭ８３０、通信インターフェイス８４０、及びハードディスクドライブ８５０を備える計算機８００と、計算機８００上で実行されるプログラムとの連携により実現される。計算機８００は、フロッピーディスクドライブ８６０及び／又はＣＤ−ＲＯＭドライブ８７０をさらに備えてもよい。
ゲートウェイ１００ａの機能を実現するプログラムは、アナログ送受信モジュール、信号変換モジュール、デジタル送受信モジュール、ＣＮＧ検出モジュール、変換方式決定モジュール、及び要求信号生成モジュールを備える。これらのモジュールは、計算機８００を、アナログ送受信部、信号変換部、デジタル送受信部、ＣＮＧ検出部、変換方式決定部、及び要求信号生成部として動作させるプログラムである。
以上に示したプログラム又はモジュールは、外部の記憶媒体に格納されてもよい。記憶媒体としては、フロッピーディスク８８０、ＣＤ−ＲＯＭ８９０の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、外部ネットワーク又は計算機８００に接続されたネットワーク等を介してプログラムを計算機８００に提供してもよい。
以上発明の実施の形態を説明したが、本出願に係る発明の技術的範囲は上記の実施の形態に限定されるものではない。上記実施の形態に種々の変更を加えて、請求の範囲に記載の発明を実施することができる。そのような発明が本出願に係る発明の技術的範囲に属することもまた、請求の範囲の記載から明らかである。
産業上の利用可能性
以上の説明から明らかなように、本発明によれば、ＩＰネットワークにおいて品質のよいファックス通信を実現させる中継装置、通信制御方法、通信制御プログラム、及び通信システムを提供することができる。
【図面の簡単な説明】
図１は、本発明の一実施形態に係る通信システム１０の構成の一例を示す。
図２は、ゲートウェイ１００ａの構成の一例を示す。
図３は、通信システム１０の通信フローの一例を示す。
図４は、ゲートウェイ１００ａのハードウェア構成の一例を示す。
【図１】
2003081888.tif 000003
【図２】
2003081888.tif 000004
【図３】
2003081888.tif 000005
【図４】
2003081888.tif 000006
【国際調査報告】
2003081888.tif 000007
2003081888.tif 000008
2003081888.tif 000009
2003081888.tif 000010